(57)【要約】【課題】光強度を低下させずに、光源ユニットから出射される光の配光分布を変更自在とする照明装置を得る。【解決手段】複数のＬＥＤ発光素子を備えた照明装置１００であって、複数のＬＥＤ発光素子から、直進方向出射成分と該直進方向から傾斜した斜方向出射成分との出射光を生成する光源ユニット２００と、光源ユニット２００を内部に収容して直進方向に進退自在に支持するとともに、内周面に斜方向出射成分の光に対してのみ光反射性を有する反射帯が少なくとも光源ユニット２００の光出射側端部に形成された環状支持部材１７とを備え、光源ユニット２００の環状支持部材１７に対する進退位置の変更により、光源ユニット２００から出射される光の配光分布を変更自在とした。【選択図】図１
2008047541.tif 000002
【特許請求の範囲】
【請求項１】
複数のＬＥＤ発光素子を備えた照明装置であって、
前記複数のＬＥＤ発光素子から、直進方向出射成分と該直進方向から傾斜した斜方向出射成分との出射光を生成する光源ユニットと、
前記複数のＬＥＤ発光素子からの出射光を、直進方向出射成分と、該直進方向から傾斜した斜方向出射成分とに生成する光源ユニットと、
前記光源ユニットを内部に収容して前記直進方向に進退自在に支持するとともに、内周面に前記斜方向出射成分の光に対してのみ光反射性を有する反射帯が少なくとも前記光源ユニットの光出射側端部に形成された環状支持部材と、
を備えた照明装置。
【請求項２】
請求項１記載の照明装置であって、
前記光源ユニットを前記環状支持部材の光出射側から該環状支持部材の内部へ挿入することで、前記斜方向出射成分に対する前記反射帯からの反射光成分の前記直進方向に対する傾斜角度を減少させ、
前記光源ユニットを前記環状支持部材の内部から光出射側へ引き出すことで、前記反射帯からの反射光成分の前記直進方向に対する傾斜角度を増加させる照明装置。
【請求項３】
請求項１または請求項２記載の照明装置であって、
前記光源ユニットを内周側に固定し、外周側に複数の係止爪を突出させた固定用リングを備え、
前記環状支持部材は、該環状支持部材の側面に前記係止爪に対応して係合する係止部が前記直進方向に沿った複数位置に形成された照明装置。
【請求項４】
請求項３記載の照明装置であって、
前記固定用リングの係止爪の少なくともいずれか一つが、他の係止爪とは異なる前記直進方向の位置で前記環状支持部材の係止部に係合された照明装置。
【請求項５】
請求項１〜請求項４のいずれか１項記載の照明装置であって、
前記光源ユニットが、前記直進方向出射成分の光を出射する複数の第１ＬＥＤ発光素子と、該第１ＬＥＤ発光素子を囲んで環状に配置され前記斜方向出射成分の光を出射する複数の第２ＬＥＤ発光素子とを有する照明装置。
【請求項６】
請求項５記載の照明装置であって、
前記複数の第１ＬＥＤ発光素子を駆動する第1駆動回路と、前記複数の第２ＬＥＤ発光素子を駆動する第２駆動回路とが、それぞれ独立して発光輝度制御を可能に設けられた照明装置。
【請求項７】
請求項５または請求項６記載の照明装置であって、
前記第１ＬＥＤ発光素子と前記第２ＬＥＤ発光素子との間に、前記直進方向に突設された隔離壁が形成された照明装置。
【請求項８】
請求項７記載の照明装置であって、
前記隔離壁と前記環状支持部材の反射帯との間に、前記第２ＬＥＤ発光素子からの光を反射させて前記光源ユニットから直接出射されることを防止する反射拡散カバーを設けた照明装置。
【請求項９】
請求項１〜請求項７のいずれか１項記載の照明装置であって、
前記反射帯が、前記環状支持部材の光出射側で前記光源ユニットに向けて傾斜させた傾斜領域を含む照明装置。
【請求項１０】
請求項９記載の照明装置であって、
前記環状支持部材の反射帯の光出射側に、前記光源ユニットに向けて傾斜可能に支持された反射用フラップを周方向の複数箇所に設けた照明装置。
【請求項１１】
請求項１〜請求項１０のいずれか1項記載の照明装置であって、
前記複数のＬＥＤ発光素子が、それぞれ同一の平面基板上に配置された照明装置。
【請求項１２】
請求項４〜請求項１０のいずれか1項記載の照明装置であって、
前記第２ＬＥＤ発光素子の各発光素子が、前記第１ＬＥＤ発光素子の各発光素子の実装される中央基板を囲んで配置される環状基板に実装され、前記環状基板が前記中央基板に対して前記直進方向に進退自在に支持された照明装置。
【請求項１３】
請求項１〜請求項３のいずれか1項記載の照明装置であって、
前記光源ユニットが、前記複数のＬＥＤ発光素子からの出射光の一部を受けて反射または拡散し前記斜方向出射成分の光とする斜方向出射成分生成用反射部材を備えた照明装置。
【請求項１４】
請求項１〜請求項１３のいずれか１項記載の照明装置であって、
前記反射帯の表面が鏡面である照明装置。
【請求項１５】
請求項１〜請求項１３のいずれか１項記載の照明装置であって、
前記反射帯の表面が拡散面である照明装置。
【請求項１６】
請求項１〜請求項１５のいずれか１項記載の照明装置であって、
前記反射帯が、前記環状支持部材の全周に対する一部の領域のみに形成された照明装置。
【請求項１７】
請求項１〜請求項１６のいずれか１項記載の照明装置であって、
前記光源ユニットが、複数の凹曲面反射部の大径側とは反対側の底部位置に前記ＬＥＤ発光素子がそれぞれ配置された反射鏡部材を有し、
前記反射鏡部材の光出射側端部が、前記凹曲面反射部の配列領域の最外縁部側から前記反射鏡部材の中央部分に向けて傾斜して形成されるとともに、前記凹曲面反射部の光出射側内周面が光拡散面を含んで形成され、前記光拡散面からの拡散反射光が前記斜方向出射成分を生成する照明装置。
【請求項１８】
請求項１７記載の照明装置であって、
前記凹曲面反射部の光軸方向長さを、前記反射鏡部材の中央部分の光軸方向長さより周辺部分の光軸長さを長くして、前記反射鏡部材の光出射側端部を凹状に形成した照明装置。
【請求項１９】
請求項１７記載の照明装置であって、
前記凹曲面反射部の光軸方向長さを、前記反射鏡部材の周辺部分の光軸方向長さより中央部分の光軸長さを長くして、前記反射鏡部材の光出射側端部を凸状に形成した照明装置。
【請求項２０】
請求項１７〜請求項１９のいずれか1項記載の照明装置であって、
前記凹曲面反射部が放物面を含んで形成され、
前記複数のＬＥＤ発光素子が前記凹曲面反射部の放物面焦点位置に配置された照明装置。
【請求項２１】
請求項１７〜請求項１９のいずれか1項記載の照明装置であって、
前記凹曲面反射部が回転楕円曲面を含んで形成され、
前記複数のＬＥＤ発光素子が前記回転楕円曲面の一方の焦点位置に配置された照明装置。
【請求項２２】
請求項２０または請求項２１記載の照明装置であって、
前記反射鏡部材の凹曲面反射部は、放物面で形成された凹曲面鏡と回転楕円曲面で形成された凹曲面鏡とが混在配置された照明装置。
【発明の詳細な説明】
【技術分野】
【０００１】
本発明は、ダウンライトに用いて好適な照明装置に関し、特に、複数のＬＥＤ発光素子からの出射光を直進方向出射成分と斜方向出射成分とに生成する照明装置に関する。
【背景技術】
【０００２】
照明装置の一つに、天井に埋め込まれて直下を照らすダウンライトがある。このダウンライトには種々の形態があるが、その一例として、構成の主要部材として椀状の反射鏡と、光源とを備えたものがある。反射鏡の外方には筒状のフレームが同心状に外挿され、フレームは下端にフランジ部を有する。反射鏡の頂部にはランプソケットが固定され、ランプソケットは下方に開口する装着部に片口金形光源を螺合装着可能としている。フレームの下部開口面には透光板が水平に取り付けられる（例えば特許文献１参照）。
【０００３】
ところで、例えば商品を陳列する店舗を始め、美術館や博物館等において、陳列・展示品を照明するため側壁面を上方（天井面側）から下方（床面側）まで照明しつつ、直下の陳列・展示品も照明する照明装置が提案されている。この種の照明装置は、陳列・展示品を照明するスポット照明と、側壁面を照明する間接照明（所謂ウォールウォッシャー）とを提供する。ウォールウォッシャーには比較的広い範囲を照明できることが必要とされる一方で、スポット照明には限られた領域を十分な照度で照明できることが要望される。このようにウォールウォッシャーとスポット照明では求められる照明範囲が異なるが、従来はウォールウォッシャー用の光とスポット照明用の光を、単一の光源（あるいは単一ブロックの光源）の出射光から生成していた。
【０００４】
【特許文献１】特開２００６−１２７４９号公報
【発明の開示】
【発明が解決しようとする課題】
【０００５】
しかしながら、ウォールウォッシャー用の光とスポット照明用の光のそれぞれを単一の光源（あるいは単一ブロックの光源）から生成する従来の照明装置は、次のような不利があった。例えば、天井懐内の設備機器との干渉や、建築躯体である梁等との干渉を回避するため、側壁面から異なる距離で設置せざるを得ない場合がある。このとき、従来の照明装置では、スポット照明の照度は同一になるものの、照明装置と側壁面との距離が異なることから、ウォールウォッシャー照明領域の上端位置がずれて、照明演出の見栄えを著しく低下させることがあった。これに対し、照明装置の光出射側に、レンズ領域や光拡散領域を形成した光透過性カバーを設け、この光透過性カバーを光源に対して接近離反動させることで、配向を制御するものもあるが、同一光源で光量の配分を制御するため、例えばウォールウォッシャーを増加させれば、スポット照明の照度が低下した。また、光源からの出射光を光透過性カバーに透過させるため、光透過性カバーの経年的な汚れや変質により、光利用効率が大幅に低下する課題があった。
本発明は上記状況に鑑みてなされたもので、光強度を低下させずに、光源ユニットから出射される光の配光分布を変更自在とする照明装置を提供することにある。
【課題を解決するための手段】
【０００６】
本発明に係る上記目的は、下記構成により達成される。
（１）  複数のＬＥＤ発光素子を備えた照明装置であって、
前記複数のＬＥＤ発光素子から、直進方向出射成分と該直進方向から傾斜した斜方向出射成分との出射光を生成する光源ユニットと、
前記光源ユニットを内部に収容して前記直進方向に進退自在に支持するとともに、内周面に前記斜方向出射成分の光に対してのみ光反射性を有する反射帯が少なくとも前記光源ユニットの光出射側端部に形成された環状支持部材と、
を備えた照明装置。
【０００７】
この照明装置によれば、内方の光源ユニットを、外方の環状支持部材に対して進退させることにより、光源ユニットの環状支持部材に対する位置が変位し、反射帯によって反射される斜方向出射成分の反射光量が反射角ごとに変わるので、直進方向出射成分の光強度を低下させずに、光源ユニットから出射される光の配光分布を自在に可変できる。
【０００８】
（２）  （１）記載の照明装置であって、
前記光源ユニットを前記環状支持部材の光出射側から該環状支持部材の内部へ挿入することで、前記斜方向出射成分に対する前記反射帯からの反射光成分の前記直進方向に対する傾斜角度を減少させ、
前記光源ユニットを前記環状支持部材の内部から光出射側へ引き出すことで、前記反射帯からの反射光成分の前記直進方向に対する傾斜角度を増加させる照明装置。
【０００９】
この照明装置によれば、光源ユニットが環状支持部材の内部へ挿入されることで、光源ユニットと環状支持部材の光出射側端部との距離が長くなり、光源ユニットから放射状に拡がろうとする光束が光出射側端部の反射帯によって内側に反射され、結果、直進方向に対する傾斜角度が減少する。また、光源ユニットが環状支持部材の内部から引き出されることで、光源ユニットと環状支持部材の光出射側端部との距離が短くなり、光源ユニットから放射状に拡がろうとする光束が光出射側端部によって遮られることなく出射され、結果、直進方向に対する傾斜角度が増大する。
【００１０】
（３）  （１）または（２）記載の照明装置であって、
前記光源ユニットを内周側に固定し、外周側に複数の係止爪を突出させた固定用リングを備え、
前記環状支持部材は、該環状支持部材の側面に前記係止爪に対応して係合する係止部が前記直進方向に沿った複数位置に形成された照明装置。
【００１１】
この照明装置によれば、固定用リングの係止爪が、直進方向に沿って環状支持部材に複数配設された任意の係止部に係合されることで、固定用リングに取り付けられた光源ユニットが、環状支持部材に対する所望の進退位置に位置決め固定される。
【００１２】
（４）  （３）記載の照明装置であって、
前記固定用リングの係止爪の少なくともいずれか一つが、他の係止爪とは異なる前記直進方向の位置で前記環状支持部材の係止部に係合された照明装置。
【００１３】
この照明装置によれば、いずれか一つの係止爪が高さ位置の異なる係止部に係合されることで、光源ユニットが環状支持部材の軸線方向から傾斜して支持され、光出射方向を簡単に傾けることができる。
【００１４】
（５）  （１）〜（４）のいずれか１項記載の照明装置であって、
前記光源ユニットが、前記直進方向出射成分の光を出射する複数の第１ＬＥＤ発光素子と、該第１ＬＥＤ発光素子を囲んで環状に配置され前記斜方向出射成分の光を出射する複数の第２ＬＥＤ発光素子とを有する照明装置。
【００１５】
この照明装置によれば、光源ユニットが、直進方向出射成分の光を出射する中央領域の第１ＬＥＤ発光素子と、この第１ＬＥＤ発光素子を包囲して斜方向出射成分の光を出射する第２ＬＥＤ発光素子とに分けられ、直進方向出射成分の光は中央領域で一定強度に保持されながら、環状領域の第２ＬＥＤ発光素子が進退されることで、斜方向出射成分のみの斜方向角度の調整が簡単に可能となる。
【００１６】
（６）  （５）記載の照明装置であって、
前記複数の第１ＬＥＤ発光素子を駆動する第1駆動回路と、前記複数の第２ＬＥＤ発光素子を駆動する第２駆動回路とが、それぞれ独立して発光輝度制御を可能に設けられた照明装置。
【００１７】
この照明装置によれば、中央領域の第１ＬＥＤ発光素子から出射される直進方向出射成分の光と、環状領域の第２ＬＥＤ発光素子から出射される斜方向出射成分の光のそれぞれが個々に独立して発光輝度制御され、各領域の照度が個別に可変となる。これにより、所望の配光パターンが得やすくなる。
【００１８】
（７）  （５）または（６）記載の照明装置であって、
前記第１ＬＥＤ発光素子と前記第２ＬＥＤ発光素子との間に、前記直進方向に突設された隔離壁が形成された照明装置。
【００１９】
この照明装置によれば、隔離壁の外側に配置された第２発光素子からの光が、環状支持部材の反射帯に反射されて斜め方向に向かう光を生成するとともに、隔離壁に反射された光が再び環状支持部材の反射帯に反射、或いは傾斜角度が大きい斜方向出射成分の光となって直接外方へ出射され、斜方向出射成分の光利用効率が高められる。
【００２０】
（８）  （７）記載の照明装置であって、
前記隔離壁と前記環状支持部材の反射帯との間に、前記第２ＬＥＤ発光素子からの光を反射させて前記光源ユニットから直接出射されることを防止する反射拡散カバーを設けた照明装置。
【００２１】
この照明装置によれば、第２ＬＥＤ発光素子の各発光素子からの光が反射拡散カバーによって反射或いは拡散され、各ＬＥＤ発光素子からの光が直接出射されなくなり、斜め方向から照明装置を見た場合に光源自体が眩しく目に映ることがなくなる。
【００２２】
（９）  （１）〜（７）のいずれか１項記載の照明装置であって、
前記反射帯が、前記環状支持部材の光出射側で前記光源ユニットに向けて傾斜させた傾斜領域を含む照明装置。
【００２３】
この照明装置によれば、反射帯の光出射側を内方へ向けて傾斜させる構成とすることで、第２ＬＥＤ発光素子から出射される光の傾斜角度が増大可能となる。すなわち、第２ＬＥＤ発光素子から下向きに出射される光が下方で内方に傾斜した傾斜領域の反射帯に反射されることで、垂直な反射帯で反射されるよりも、水平方向に近い方向へ傾斜角度を増大できる。
【００２４】
（１０）  （９）記載の照明装置であって、
前記環状支持部材の反射帯の光出射側に、前記光源ユニットに向けて傾斜可能に支持された反射用フラップを周方向の複数箇所に設けた照明装置。
【００２５】
この照明装置によれば、周方向に複数配置された任意位置のフラップが傾斜変更されることで、周方向の任意の位置で、水平方向への光の広がりが自在に制御可能となる。例えば、周方向の一部分では斜方向出射成分の傾斜角を小さく、周方向の他の部分では斜方向出射成分の傾斜角を大きくできる。
【００２６】
（１１）  (１）〜（１０）のいずれか1項記載の照明装置であって、
前記複数のＬＥＤ発光素子が、それぞれ同一の平面基板上に配置された照明装置。
【００２７】
この照明装置によれば、複数のＬＥＤ発光素子が同一の平面基板上に配置されることで、光軸合わせが容易となり、組み立て性が向上する。また、配線も簡略化される。
【００２８】
（１２）  （４）〜（１０）のいずれか1項記載の照明装置であって、
前記第２ＬＥＤ発光素子の各発光素子が、前記第１ＬＥＤ発光素子の各発光素子の実装される中央基板を囲んで配置される環状基板に実装され、前記環状基板が前記中央基板に対して前記直進方向に進退自在に支持された照明装置。
【００２９】
この照明装置によれば、第１ＬＥＤ発光素子が固定される一方、第２ＬＥＤ発光素子のみが可動構造となり、構造が簡略化されるとともに、斜方向出射成分に対する傾斜角の微調整が容易となる。
【００３０】
（１３）  （１）〜（３）のいずれか1項記載の照明装置であって、
前記光源ユニットが、前記複数のＬＥＤ発光素子からの出射光の一部を受けて反射または拡散し前記斜方向出射成分の光とする斜方向出射成分生成用反射部材を備えた照明装置。
【００３１】
この照明装置によれば、斜方向成分専用のＬＥＤ発光素子を設けなくとも、斜方向出射成分生成用反射部材からの反射光または拡散光により簡素な構造で斜方向出射成分の光が生成可能となる。
【００３２】
（１４）  （１）〜（１３）のいずれか１項記載の照明装置であって、
前記反射帯の表面が鏡面である照明装置。
【００３３】
この照明装置によれば、第２ＬＥＤ発光素子からの光の強度低下を抑えて、斜方向出射成分の光強度が高められる。
【００３４】
（１５）  （１）〜（１３）のいずれか１項記載の照明装置であって、
前記反射帯の表面が光拡散面である照明装置。
【００３５】
この照明装置によれば、第２ＬＥＤ発光素子から出射された光が拡散面となった反射帯に反射され、その反射光が均一に分散されて、斜め方向の光が光源の配置位置によらず等方的に出射される。
【００３６】
（１６）  （１）〜（１５）のいずれか１項記載の照明装置であって、
前記反射帯が、前記環状支持部材の全周に対する一部の領域のみに形成された照明装置。
【００３７】
この照明装置によれば、反射帯が存在する部分は斜め光成分が生成され、存在しない部分は斜め光成分が生成されないので、光の出射分布を平面的に任意の分布とすることができる。つまり、特定方向のみ斜方まで照明し、他の方向では下方のみ照明する等のより自由度の高い配光パターンが形成可能となる。
【００３８】
（１７）  （１）〜（１６）のいずれか１項記載の照明装置であって、
前記光源ユニットが、複数の凹曲面反射部の大径側とは反対側の底部位置に前記ＬＥＤ発光素子がそれぞれ配置された反射鏡部材を有し、
前記反射鏡部材の光出射側端部が、前記凹曲面反射部の配列領域の最外縁部側から前記反射鏡部材の中央部分に向けて傾斜して形成されるとともに、前記凹曲面反射部の光出射側内周面が光拡散面を含んで形成され、前記光拡散面からの拡散反射光が前記斜方向出射成分を生成する照明装置。
【００３９】
この照明装置によれば、反射鏡部材の光出射側端部（すなわち、反射面）が凹曲面に形成され、この凹曲面に、放射状に複数設けられた凹曲面反射部の光出射側内周面が配置され、光出射側内周面の放射方向外側の内周面部分が斜方向出射成分の光を生成する光拡散面として作用する。これにより、複数の凹曲面反射部を、反射鏡部材の凹曲面に開口させ、その光出射側内周面に光拡散面を設けるのみで、斜方向出射成分が簡単に生成可能となる。
【００４０】
（１８）  （１７）記載の照明装置であって、
前記反射鏡部材の中央部分の光軸方向長さより周辺部分の光軸長さを長くして、前記反射鏡部材の光出射側端部を凹状に形成した照明装置。
【００４１】
この照明装置によれば、周辺部分の光軸長さが長い凹曲面反射部では出射光の到達距離を伸ばして、直進方向出射成分を増大させることができ、中央部分の光軸長さが短い凹曲面反射部では斜方向出射成分を増大させることができ、結果、直進方向出射成分と斜方向出射成分との分離性を高めることができる。
【００４２】
（１９）  （１７）記載の照明装置であって、
前記凹曲面反射部の光軸方向長さを、前記反射鏡部材の周辺部分の光軸方向長さより中央部分の光軸長さを長くして、前記反射鏡部材の光出射側端部を凸状に形成した照明装置。
【００４３】
この照明装置によれば、周辺部分の光軸長さが短い凹曲面反射部では斜方向出射成分を増大させることができ、中央部分の光軸長さが長い凹曲面反射部では出射光の到達距離を伸ばして、直進方向出射成分を増大させることができ、結果、直進方向出射成分と斜方向出射成分との分離性を高めることができる。また、凸状となって突出した反射鏡部材の光出射側端部が斜め下方より視認できるようになり、照明装置の点灯確認が容易となる。
【００４４】
（２０）  （１７）〜（１９）のいずれか1項記載の照明装置であって、
前記凹曲面反射部が放物面を含んで形成され、
前記複数のＬＥＤ発光素子が前記凹曲面反射部の放物面焦点位置に配置された照明装置。
【００４５】
この照明装置によれば、放物面焦点位置にＬＥＤ発光素子を配置することで、出射光が平行光化でき、出射光の到達距離を伸ばすことができる。
【００４６】
（２１）  （１７）〜（１９）のいずれか1項記載の照明装置であって、
前記凹曲面反射部が回転楕円曲面を含んで形成され、
前記複数のＬＥＤ発光素子が前記回転楕円曲面の一方の焦点位置に配置された照明装置。
【００４７】
この照明装置によれば、回転楕円曲面の一方の焦点位置にＬＥＤ発光素子を配置することで、他方の焦点位置を適宜に変更することにより、出射光の分散程度が簡単に制御できるようになる。すなわち、回転楕円曲面の二つの焦点距離を任意に設計することで、所望の光分散制御が可能となる。
【００４８】
（２２）  （２０）または（２１）記載の照明装置であって、
前記反射鏡部材の凹曲面反射部は、放物面で形成された凹曲面鏡と回転楕円曲面で形成された凹曲面鏡とが混在配置された照明装置。
【００４９】
この照明装置によれば、ＬＥＤ光源の出力を調整する代わりに、放物面や回転楕円曲面の凹曲面鏡を多種混在配置させることにより、双方の照度分布を合成し、所望の照度パターンを得ることができる。
【発明の効果】
【００５０】
本発明に係る照明装置によれば、ＬＥＤ発光素子から直進方向出射成分と斜方向出射成分との出射光を生成する光源ユニットと、光源ユニットを内部に収容して直進方向に進退自在に支持するとともに、内周面に斜方向出射成分の光に対してのみ光反射性を有する反射帯が少なくとも光源ユニットの光出射側端部に形成された環状支持部材とを備えたので、光源ユニットの環状支持部材に対する進退位置を変えることにより、直進方向出射成分の光強度を低下させずに、光源ユニットから出射される光の配光分布を変更自在とすることができる。
【発明を実施するための最良の形態】
【００５１】
以下、本発明に係る照明装置の好適な実施の形態を図面を参照して説明する。
図１は本発明に係る照明装置の分解斜視図、図２は図１に示した照明装置の一部分を切り欠いた斜視図、図３は光源ユニットの下面図である。
本実施形態の照明装置１００は、複数のＬＥＤ発光素子１１を備え、これらＬＥＤ発光素子１１から、直進方向出射成分と、この直進方向から傾斜した斜方向出射成分との出射光を生成することを特徴としている。
【００５２】
照明装置１００は、ＬＥＤ発光素子１１を備えた光源ユニット２００と、この光源ユニット２００を内部に収容して、照明装置１００の主光軸方向となる直進方向に進退自在に支持するとともに、内周面に斜方向出射成分の光に対してのみ光反射性を有する反射帯１５が少なくとも光源ユニット２００の光出射側端部に形成された環状支持部材１７と、を有する。つまり、反射帯１５には、直進方向出射成分の光は照射されず、斜方向出射成分の光のみが照射されて反射する構成とされている。
【００５３】
光源ユニット２００の外周には固定用リング１９が装着され、固定用リング１９は外周側に複数（図示例では一例として３個）の係止爪２１を突出させる。環状支持部材１７の内面には薄厚のテーパ状に形成されたガイド溝２３が設けられ、ガイド溝２３は下方から挿入される係止爪２１を上方の所定位置に案内する。環状支持部材１７のガイド溝２３の上方には円周方向に長いスリット状の複数の係止部２５が形成され、係止部２５は上記した直進方向に沿って複数位置に形成されている。それぞれの係止部２５は、係止爪２１を係合可能な開口孔とされている。
【００５４】
したがって、図２に示すように、固定用リング１９の係止爪２１が、直進方向に沿って環状支持部材１７に複数配設された任意の係止部２５に係合されることで、固定用リング１９に取り付けられた光源ユニット２００が、環状支持部材１７に対する所望の進退位置に位置決め固定されるようになっている。内部に固定用リング１９を介して光源ユニット２００を固定した環状支持部材１７の下端には、化粧フランジ２７が下方より嵌着される。
【００５５】
光源ユニット２００は、図３に示すように、上記した直進方向出射成分の光を出射する複数の第１ＬＥＤ発光素子１１ａと、第１ＬＥＤ発光素子１１ａを囲んで環状に配置され上記の斜方向出射成分の光を出射する複数の第２ＬＥＤ発光素子１１ｂとを有する。照明装置１００は、光源ユニット２００が、直進方向出射成分の光を出射する中央領域の第１ＬＥＤ発光素子１１ａと、この第１ＬＥＤ発光素子１１ａを包囲して斜方向出射成分の光を出射する第２ＬＥＤ発光素子１１ｂとに分けられ、直進方向出射成分の光は中央領域で一定強度に保持されながら、環状領域の第２ＬＥＤ発光素子１１ｂが環状支持部材１７の反射帯１５に対して進退されることで、斜方向出射成分のみの斜方向角度の調整が可能となっている。
【００５６】
本実施の形態において、複数のＬＥＤ発光素子１１は、それぞれ同一の平面基板２９上に配置されている。複数のＬＥＤ発光素子１１が同一の平面基板２９上に配置されることで、光軸合わせが容易となり、組み立て性が向上するようになっている。また、それぞれのＬＥＤ発光素子１１に接続される給電用の配線も、例えば印刷配線とすることで簡略化されている。
【００５７】
図４は光源ユニット挿入状態を（ａ）、引き出し状態を（ｂ）で表した光線追跡図、図５は光源ユニットの位置と斜方向出射成分との相関を（ａ），（ｂ），（ｃ）で表した説明図である。
照明装置１００は、図４（ａ）に示すように、光源ユニット２００を環状支持部材１７の光出射側から環状支持部材１７の内部へ挿入することで、斜方向出射成分に対する反射帯１５からの反射光成分の直進方向に対する傾斜角度を減少させる。一方、図４（ｂ）に示すように、光源ユニット２００を環状支持部材１７の内部から光出射側へ引き出すことで、反射帯１５からの反射光成分の直進方向に対する傾斜角度を増加させる。
【００５８】
すなわち、光源ユニット２００が環状支持部材１７の内部へ挿入されることで、図４（ａ）に示すように、光源ユニット２００と環状支持部材１７の光出射側端部１７ａとの距離が長くなり、光源ユニット２００から放射状に拡がろうとする光束が光出射側端部１７ａの反射帯１５によって内側に反射され、結果、直進方向に対する傾斜角度が減少する。また、図４（ｂ）に示すように、光源ユニット２００が環状支持部材１７の内部から引き出されることで、光源ユニット２００と環状支持部材１７の光出射側端部１７ａとの距離が短くなり、光源ユニット２００から放射状に拡がろうとする光束が光出射側端部１７ａによって遮られることなく出射され、結果、直進方向に対する傾斜角度が増大する。
【００５９】
このように、光源ユニット２００を環状支持部材１７の先端側から徐々に奥側に挿入することにより、図５（ａ），（ｂ），（ｃ）で表したように、斜方向出射成分の傾斜角度φ１，φ２，φ３を徐々に小さく（φ１＞φ２＞φ３）調整することができる。
【００６０】
また、第１ＬＥＤ発光素子１１ａと第２ＬＥＤ発光素子１１ｂとの間には、直進方向に突設された隔離壁３１が形成される。この隔離壁３１の外周面には副反射帯３３が形成される。これにより、隔離壁３１の外側に配置された第２ＬＥＤ発光素子１１ｂからの光が、環状支持部材１７の反射帯１５に反射されて斜め方向に向かう光を生成するとともに、隔離壁３１の副反射帯３３に反射された光が再び環状支持部材１７の反射帯１５に反射、或いは傾斜角度が大きい斜方向出射成分の光となって直接外方へ出射され、斜方向出射成分の光利用効率が高められる。つまり、隔離壁３１を設けることで、反射帯１５と協働して斜方向出射成分の出射効率を高めることができる。
【００６１】
図６は光源ユニットの駆動回路の一例を表す回路図である。
この実施の形態による照明装置１００は、複数の第１ＬＥＤ発光素子１１ａを駆動する第1駆動回路４１ａと、複数の第２ＬＥＤ発光素子１１ｂを駆動する第２駆動回路４１ｂとが、光量制御可能な光量制御手段（制御部）４３によってそれぞれ独立して発光輝度制御可能に設けられている。
【００６２】
制御部４３は、直流電源部５０が接続され、不図示の照明パターン記憶部からの制御データを読み込むことで、それぞれの第１ＬＥＤ発光素子１１ａ、第２ＬＥＤ発光素子１１ｂに対応する第1駆動回路４１ａ、第２駆動回路４１ｂへ駆動制御信号を送出する。
【００６３】
駆動回路４１ａ，４１ｂは、ＬＥＤ発光素子１１の定電流パルス幅制御駆動回路として構成されている。例えば、駆動回路４１ａにおいて、４５，４７は抵抗、４９，５１はトランジスタ、５３はツェナーダイオード、５５はパルス発生回路である。
【００６４】
この駆動回路４１ａでは、直流電源部に抵抗４５，４７、トランジスタ４９、ツェナーダイオード５３で構成される定電流回路５７ａ，５７ｂをＬＥＤ発光素子１１と直列に接続し、ＬＥＤ発光素子１１をそれぞれ発光させる。トランジスタ４９のベース電圧はツェナーダイオード５３のツェナー電圧にクランプされ、ツェナー電圧をＶｚ、トランジスタ５１のベース・エミッタ間電圧をＶｂｅとすると、抵抗４５の電圧はＶｚ−Ｖｂｅとなり、抵抗４５を流れる電流は抵抗４５の抵抗値をＲ４とすれば（Ｖｚ−Ｖｂｅ）／Ｒ４で与えられる。ツェナー電圧Ｖｚ、ベース・エミッタ間電圧Ｖｂｅを一定とすれば、抵抗４５の電流は（Ｖｚ−Ｖｂｅ）／Ｒ４となり一定になる。すなわち、直流電圧Ｖ０或いはＬＥＤ発光素子１１の電圧降下が変化しても、ＬＥＤ発光素子１１の電流が一定になるようにトランジスタ４９のコレクタ−エミッタ間電圧が変化する。
【００６５】
ツェナーダイオード５３と並列にトランジスタ５１が接続され、トランジスタ５１のベースにはパルス発生器５５が接続されている。トランジスタ５１はパルス発生器５５からのパルス電圧でオンするとツェナーダイオード５３は短絡されるので、トランジスタ４９のベース電流は０となり、トランジスタ４９はオフとなる。すなわち、ＬＥＤ発光素子１１の電流は遮断されるので消灯する。パルス発生器５５からのパルス電圧がなくなると、トランジスタ５１はオフとなるのでトランジスタ４９のベースには電流が流れ、定電流回路５７はＬＥＤ発光素子１１に定電流を供給し、ＬＥＤ発光素子１１を点灯させる。ここで、パルス発生器５５からのパルス電圧の有りの時間と無しの時間の比を制御すること、すなわち、パルス幅制御することで、ＬＥＤ発光素子１１の輝度を、駆動電流を変えることなく調整することができる。
【００６６】
トランジスタ４９がオフとなるとＬＥＤ発光素子１１の電圧降下は期待できないので、トランジスタ４９には電源電圧が印加されることになる。電源電圧が１４０Ｖである場合はトランジスタ４９の耐圧は２００Ｖ以上が必要になる。
【００６７】
照明装置１００では、中央領域の第１ＬＥＤ発光素子１１ａから出射される直進方向出射成分の光と、環状領域の第２ＬＥＤ発光素子１１ｂから出射される斜方向出射成分の光のそれぞれが個々に独立して発光輝度制御され、各領域の照度調整が個別に可変となる。これにより、所望の配光パターンが得やすくなっている。
【００６８】
図７は図１に示した照明装置のウォールウォッシャーとスポット照明を表す斜視図、図８はウォールウォッシャー領域の調整例を表す説明図である。
このように、上記した照明装置１００では、内方の光源ユニット２００を、外方の環状支持部材１７に対して進退させることにより、光源ユニット２００の環状支持部材１７に対する相対位置が変位し、反射帯１５によって反射される斜方向出射成分の反射光量が、各反射角に応じて変化し、その結果、図７に示す照射領域Ｓ１における直進方向出射成分の光強度を低下させずに、照射領域Ｓ２における光源ユニット２００から出射される光の配光分布、例えば天井からの照明開始高さＨを可変にできる。
【００６９】
これにより、側壁面６１の照射領域Ｓ２が天井６３から距離Ｈで設定したい場合、図８に示すように、２つの照明装置１００，１００と側壁面６１ａ，６１ｂとの距離がＬａ，Ｌｂで異なる場合（Ｌａ≠Ｌｂ）であっても、第２ＬＥＤ発光素子１１ｂを進退させることにより、天井６３からの照射領域Ｓ２の距離Ｈａ，Ｈｂを略等しく（Ｈａ≒Ｈｂ）調整することができる。
【００７０】
ここで、第１ＬＥＤ発光素子１１ａについて詳述する。
照明装置１００は、第１ＬＥＤ発光素子１１ａの凹曲面反射部６５が放物面を含んで形成され、複数の第１ＬＥＤ発光素子１１ａがこの凹曲面反射部６５の放物面焦点位置に配置された構成にすることができる。このような放物面による凹曲面反射部６５によれば、放物面焦点位置に第１ＬＥＤ発光素子１１ａを配置することで、出射光を平行光化でき、出射光の到達距離を伸ばすことができる。
【００７１】
また、図９は楕円曲面からなる凹曲面鏡の第２焦点がそれぞれ異なる位置である（ａ），（ｂ），（ｃ）の照度分布を表す説明図である。
照明装置１００は、凹曲面反射部６５が回転楕円曲面を含んで形成され、複数の第１ＬＥＤ発光素子１１ａが回転楕円曲面の一方の焦点位置に配置された構成とできる。回転楕円曲面は２つの焦点位置があり、一つは第１ＬＥＤ発光素子１１ａの発行面位置に設定し、他の焦点位置（第２焦点）は、凹曲面反射部６５の形状により任意に設定することができる。ここで、第２焦点を照射面（床面など）よりも手前側に設定した場合は、図９（ａ）に示すように、第１ＬＥＤ発光素子１１ａからの反射光が第２焦点で一旦集束され、第２焦点から照射面までの間で広がり、照射面上では広い範囲にわたって照明光が得られる。また、第２焦点を照射面に一致させた場合は、図９（ｂ）に示すように、狭い範囲を高強度で照明することができる。さらに、第２焦点を照射面より奥側に設定した場合は、図９（ｃ）に示すように、平行光に近い状態で照明光が得られ、放物面と同様な指向性を有する照明光が得られる。
【００７２】
このように、回転楕円曲面の一方の焦点位置に第１ＬＥＤ発光素子１１ａを配置することで、他方の焦点位置を適宜に変更することにより、出射光の分散程度が簡単に制御できるようになる。すなわち、回転楕円曲面の二つの焦点距離を任意に設計することで、所望の光分散制御が可能となる。
【００７３】
さらに、凹曲面反射部６５は、放物面で形成された凹曲面鏡と回転楕円曲面で形成された凹曲面鏡とが混在配置されたものであってもよい。このような混在構成とすることで、ＬＥＤ発光素子１１の出力を調整する代わりに、放物面や回転楕円曲面の凹曲面鏡を、適宜な比率で混在配置して、ダウンライト全体としての光の拡散度合いを調整することが可能となる。混在配置方法としては、隣接する凹曲面反射部６５同士を異なる種類に設定したり、環状方向に異なる種類に設定したり、中心から放射状に伸びる線上毎に異なる種類に設定したりできる。また、ランダムに配置して構成することもできる。このように多種混在配置させることにより、双方の照度分布を合成し、所望の照度パターンを得ることができる。
【００７４】
したがって、上記の照明装置１００によれば、ＬＥＤ発光素子１１から直進方向出射成分と斜方向出射成分との出射光を生成する光源ユニット２００と、光源ユニット２００を内部に収容して直進方向に進退自在に支持するとともに、内周面に斜方向出射成分の光に対してのみ光反射性を有する反射帯１５が少なくとも光源ユニット２００の光出射側端部に形成された環状支持部材１７とを備えたので、光源ユニット２００の環状支持部材１７に対する進退位置を変えることにより、直進方向出射成分の光強度を低下させずに、光源ユニット２００から出射される光の配光分布を変更自在とすることができる。
【００７５】
なお、第１ＬＥＤ発光素子、第２ＬＥＤ発光素子の発光色温度は、２０００Ｋ〜９５００Ｋの範囲で任意に設定できる。例えば、第１ＬＥＤ発光素子による直進方向出射成分の光を５０００Ｋ、第２ＬＥＤ発光素子による斜方向出射成分の光を２８００Ｋの色温度とすると、直下照明として十分な照度が得られ、壁面への照明はやわらかなものとなる。この他にも、第１ＬＥＤ発光素子と第２ＬＥＤ発光素子との発光色温度を互いに異ならせて組み合わせ、発光輝度を適宜調整することで、種々の照明パターンを自在に実現できる。
【００７６】
次に、上記した実施の形態による照明装置１００の変形例をそれぞれ説明する。
図１０は異なる反射拡散カバーを設けた照明装置の例を（ａ），（ｂ）で表した光線追跡図である。
照明装置１００Ａ，１００Ｂは、隔離壁３１と環状支持部材１７の反射帯１５との間に、第２ＬＥＤ発光素子１１ｂからの光を反射させて、光源ユニット２００から光が直接出射されることを防止する反射拡散カバー７１ａ，７１ｂを設けることができる。反射拡散カバー７１ａは、図１０（ａ）に示すように、断面コ字状のアルミ製のリングとすることができる。この場合、リング内面を鏡面仕上げすると光利用効率が向上するので好ましい。図１０（ｂ）に示すように、傾斜反射面を有する断面三角形状の反射拡散カバー７１ｂとしてもよい。この場合の反射拡散カバー７１ｂは、不透明素材または半透明素材のいずれも用いることができる。これら反射拡散カバー７１ａ，７１ｂは、後付けで隔離壁３１に固定することができる。
【００７７】
反射拡散カバー７１ａ，７１ｂを備えた照明装置１００Ａ，１００Ｂによれば、第２ＬＥＤ発光素子１１ｂの各発光素子からの光が反射拡散カバー７１ａ，７１ｂによって反射或いは拡散され、各ＬＥＤ発光素子からの光が直接出射されなくなり、斜め方向から照明装置１００Ａ，１００Ｂを見た場合に、光源自体が眩しく目に映ることがなくなる。
【００７８】
図１１は反射帯に傾斜領域が設けられた照明装置の光線追跡図である。
照明装置１００Ｃは、反射帯１５が、環状支持部材１７の光出射側で光源ユニット２００に向けて角度θで傾斜させた傾斜領域１５ａを含むものであってもよい。
このように、反射帯１５の光出射側を内方へ向けて傾斜させる構成とすることで、第２ＬＥＤ発光素子１１ｂから出射される光の傾斜角度が増大可能となる。すなわち、第２ＬＥＤ発光素子１１ｂから下向きに出射される光が、下方で内方に傾斜した傾斜領域１５ａの反射帯１５に反射されることで、垂直な反射帯１５のみで反射されるよりも、より水平に近い方向へ傾斜角度が増大可能となる。なお、傾斜領域１５ａは、直線状に限らず、曲面であってもよい。
【００７９】
図１２は反射用フラップの設けられた照明装置の平面視を（ａ）、縦断面視を（ｂ）で表した説明図である。
照明装置１００Ｄは、環状支持部材１７の反射帯１５の光出射側に、光源ユニット２００に向けて傾斜可能に支持された反射用フラップ６７を周方向の複数箇所（図例では８箇所）に設けたものであってもよい。
反射用フラップ６７を設けた照明装置１００Ｄによれば、周方向に複数配置された任意位置の反射用フラップ６７が傾斜変更されることで、周方向の任意の位置で、水平方向への光の広がりが自在に制御可能となる。すなわち、周方向の一部分では斜方向出射成分の傾斜角が小さく、周方向の他の部分では斜方向出射成分の傾斜角が大きい分布にすることも可能となる。
【００８０】
図１３は反射帯に光拡散面の設けられた照明装置の光線追跡図である。
照明装置１００Ｅは、反射帯１５の表面に光拡散面６９が設けられてもよい。光拡散面６９は、隔離壁３１の下端までの距離ｈからさらに下方に垂下する距離ｄで形成することができる。
光拡散面６９を設けた照明装置１００Ｅによれば、第２ＬＥＤ発光素子１１ｂから出射された光が光拡散面６９となった反射帯１５に反射され、その反射光が均一に分散されて、斜め方向の光が光源の配置位置によらず等方的に出射される。また、反射帯１５が光拡散面６９となることで、光源位置を視認され難くすることができる。つまり、眩光防止することができる。
【００８１】
図１４は第２ＬＥＤ発光素子が進退自在となった照明装置の光線追跡図である。
照明装置１００Ｆは、第２ＬＥＤ発光素子１１ｂの各発光素子が、第１ＬＥＤ発光素子１１ａの各発光素子の実装される中央基板７０を囲んで配置される環状基板７３に実装され、環状基板７３が中央基板７０に対して直進方向に進退自在に支持されている。この場合の進退機構としては、微小凹凸による係合構造や、ネジによる螺合構造等の適宜の機構を採用することができる。
この照明装置１００Ｆによれば、第１ＬＥＤ発光素子１１ａが固定される一方、第２ＬＥＤ発光素子１１ｂのみが可動構造となり、構造が簡略化されるとともに、斜方向出射成分に対する傾斜角の微調整が容易となる。
【００８２】
図１５は反射帯を環状支持部材の周方向の一部に設けた照明装置の下面視を（ａ）、縦断面視を（ｂ）で表した説明図である。
照明装置１００Ｇは、環状支持部材１７の周方向の一部である角度ψの領域のみに選択的に反射帯１５を形成し、この領域以外には光反射効率を低くする加工（例えば、黒色塗料の塗布等）を施す。反射効率を低くする以外にも、例えば光源ユニット側に光を戻して照明光にさせないことでもよい。
この照明装置１００Ｇによれば、反射帯１５の形成された領域のみ斜方向出射成分を生成することができ、非対称な照明光分布を簡単に形成できる。つまり、特定方向のみ斜方まで照明し、他の方向では下方のみ照明する等のより自由度の高い配光パターンが形成可能となる。例えば、照明装置１００Ｇ近くの壁面には斜方向出射成分を積極的に生成し、壁面の無い方向対しては斜方向出射成分を抑えることで、所望の照度分布を容易に得ることができる。また、斜方向出射成分が不要な領域に対しては、その部分の第２ＬＥＤ発光素子１１ｂを配置しない構成としたり、配置しても通電しない構成にすることで、一層の省電力化が図られる。
【００８３】
図１６は係止爪の係止位置を変えて光源ユニットを傾斜させた照明装置の縦断面図である。
照明装置１００Ｈは、固定用リング１９の係止爪２１の少なくともいずれか一つが、他の係止爪２１とは異なる直進方向の位置で環状支持部材１７の係止部２５に係合される。つまり、光源ユニット２００の中心軸７４が、鉛直軸７６に対して角度θ１だけ傾斜されることとなる。
このように、いずれか一つの係止爪２１が高さ位置の異なる係止部２５に係合されることで、光源ユニット２００が環状支持部材１７の軸線方向から傾斜して支持され、光出射方向を簡単に傾けることができる。
【００８４】
次に、図３に示す光源ユニットとは異なる形状の光源ユニットを用いて構成した照明装置の他の例を説明する。
図１７は反射鏡部材が凸面状に形成された光源ユニットの斜視図、図１８は図１７の光源ユニットを光出射側から見た平面図である。
光源ユニット２００Ａは、反射鏡部材７５Ａの光出射側端部が、凹曲面反射部６５の配列領域の最外縁部側から反射鏡部材７５Ａの中央部分に向けて傾斜して形成されるとともに、光出射側端部を凸状に突出して形成されている。反射光部材７５Ａには、複数の凹曲面反射部６５が形成され、大径側とは反対側の底部位置に第１ＬＥＤ発光素子１１ａが配置されている。各凹曲面反射部６５の光軸方向長さは、反射鏡部材７５Ａの周辺部分の光軸方向長さより中央部分の光軸長さを長くされている。この光源ユニット２００Ａが図３に示す光源ユニットの代わりに搭載されることで、図１，２同様の照明装置が構成される。
【００８５】
図１９に光軸方向の長さが異なる凹曲面反射部の縦断面図、図２０に図１９の凹曲面反射部を備えた光源ユニットの縦断面図を示した。図１９，図２０に示すように、周辺部分の光軸長さが短い凹曲面反射部６５ａでは拡散光により斜方向出射成分を増大させることができ、中央部分の光軸長さが長い凹曲面反射部６５ｂでは出射光の到達距離を伸ばして、直進方向出射成分を増大させることができる。この結果、直進方向出射成分と斜方向出射成分との分離性を高めることができる。また、この光源ユニット２００Ａを備えた照明装置を天井に設置した際に、凸面となって突出した反射鏡部材７５Ａの光出射側端部が斜め下方より視認できるようになり、照明装置の点灯確認が容易となる。この反射鏡部材７５Ａは、例えばポリカーボネート等の樹脂材料で構成でき、凹曲面反射部の内周面を樹脂材料自体の表面を荒らした光拡散面としている。また、樹脂材料による光拡散面の他にも、例えばアルミニウム等の金属材料に光拡散用の膜を形成したり（アルミニウムならばアルマイト膜等）、適宜な光拡散用微粒子を含む塗膜を形成してもよい。
【００８６】
反射鏡部材７５Ａの光出射側を凸状とした光源ユニット２００Ａでは、図１９に示すように、凹曲面反射部６５ａ，６５ｂの第１ＬＥＤ発光素子１１ａから所定距離ＬＭを鏡面７７に形成し、大径側の所定距離ＬＤを光拡散面７９とすることもできる。
その場合の光源ユニット２００Ａによれば、凹曲面反射部６５ａ，６５ｂの大径側とは反対側の底部位置に所定高さの鏡面７７が形成されることで、第１ＬＥＤ発光素子１１ａからの出射光の直進方向出射成分の強度低下を抑えることができる。また、光拡散面７９を、少なくとも外方に向く凹曲面反射部６５の面、つまり、外方から観察可能な凹曲面反射部６５の内周面に形成することで、図２０に示すように、外方への斜方向出射成分の出射光を得ることができる。
【００８７】
次に、上記とは異なる形状の光源ユニットを用いて構成した照明装置の他の例を説明する。
図２１は反射鏡部材が凹面状に形成された光源ユニットの斜視図、図２２は図２１の光源ユニットを光出射側から見た平面図、図２３は図２１に示した凹面状の光源ユニットの光線追跡図である。
光源ユニット２００Ｂは、複数の凹曲面反射部の大径側とは反対側の底部位置にＬＥＤ発光素子がそれぞれ配置された反射鏡部材７５Ｂを有している。また、光源ユニット２００Ｂは、反射鏡部材７５Ｂの光出射側端部が、凹曲面反射部６５の配列領域の最外縁部側から反射鏡部材７５Ｂの中央部分に向けて傾斜して形成されるとともに、光出射側端部を凹状に窪んで形成されている。凹曲面反射部６５の内周面の少なくとも一部（光源ユニット２００Ａと同様）は光拡散面６９で形成され、この光拡散面からの拡散反射光が斜方向出射成分を生成している。本構成も、この光源ユニット２００Ｂが図３に示す光源ユニットの代わりに搭載されることで、図１，２同様の照明装置が構成される。
【００８８】
この光源ユニット２００Ｂは、凹曲面反射部６５の光軸方向長さを、反射鏡部材７５Ｂの中央部分の光軸方向長さより周辺部分の光軸長さを長くされている。周辺部分の光軸長さが長い凹曲面反射部６５ａでは、出射光の到達距離を伸ばして、直進方向出射成分を増大させることができ、中央部分の光軸長さが短い凹曲面反射部６５ｂでは斜方向出射成分を増大させることができる。その結果、直進方向出射成分と斜方向出射成分との分離性を高めることができる。
【００８９】
そして、反射鏡部材７５Ｂの光出射側端部の凹曲面中心から放射状に複数設けられた凹曲面反射部６５の内周面が、光拡散面６９として作用することで、斜方向出射成分が簡単に生成可能となる。
【００９０】
上記の光源ユニット２００Ａ，２００Ｂでは、第２ＬＥＤ発光素子を設けずに斜方向出射成分を得ているが、さらに第２ＬＥＤ発光素子を合わせ持つ構成としてもよい。
図２４は凸面状反射鏡部材と環状光源とを備えた光源ユニットの下面視を（ａ）、側面視を（ｂ）に表した説明図である。
この光源ユニット２００Ｃは、凸面状の反射鏡部材７５Ｃを備え、さらに、複数の第２ＬＥＤ発光素子１１ｂを環状に配置して設けている。そして、隔離壁３１の外周面を鏡面８１とすれば、この光源ユニット２００Ｃを図１，２に示す照明装置に組み込むことで、斜方向出射成分を、より増大させることができる。
【００９１】
ここで、さらに他の照明装置の構成例を説明する。
図２５は斜方向出射成分生成用反射部材を備えた照明装置の光線追跡図である。
この照明装置１００Ｊは、光源ユニット２００が、複数の第１ＬＥＤ発光素子１１ａからの出射光の一部を受けて、反射または拡散し斜方向出射成分の光とする斜方向出射成分生成用反射部材８５を備える。斜方向出射成分生成用反射部材８５は、例えば傾斜面を反射面８５ａとする断面三角形状の環状部材とし、ブラケット８７を介して平面基板２９に支持される。
この照明装置１００Ｊによれば、斜方向成分専用のＬＥＤ発光素子を設けなくとも、斜方向出射成分生成用反射部材８５からの反射光または拡散光により簡素な構造で斜方向出射成分の光が生成可能となる。そのため、ＬＥＤ発光素子の反射鏡部材を複雑な形状にしなくとも、直進方向出射成分と斜方向出射成分との光を簡単に得ることができる。
【図面の簡単な説明】
【００９２】
【図１】本発明に係る照明装置の分解斜視図である。
【図２】図１に示した照明装置の一部分を切り欠いた斜視図である。
【図３】光源ユニットの下面図である。
【図４】光源ユニット挿入状態を（ａ）、引き出し状態を（ｂ）で表した光線追跡図である。
【図５】光源ユニットの位置と斜方向出射成分との相関を（ａ），（ｂ），（ｃ）で表した説明図である。
【図６】光源ユニットの駆動回路の一例を表す回路図である。
【図７】図１に示した照明装置のウォールウォッシャーとスポット照明を表す斜視図である。
【図８】ウォールウォッシャー領域の調整例を表す説明図である。
【図９】楕円曲面からなる凹曲面鏡の第２焦点がそれぞれ異なる位置である（ａ），（ｂ），（ｃ）の照度分布を表す説明図である。
【図１０】異なる反射拡散カバーを設けた照明装置の例を（ａ），（ｂ）で表した光線追跡図である。
【図１１】反射帯に傾斜領域が設けられた照明装置の光線追跡図である。
【図１２】反射用フラップの設けられた照明装置の平面視を（ａ）、縦断面視を（ｂ）で表した説明図である。
【図１３】反射帯に光拡散面の設けられた照明装置の光線追跡図である。
【図１４】第２ＬＥＤ発光素子が進退自在となった照明装置の光線追跡図である。
【図１５】反射帯を環状支持部材の周方向の一部に設けた照明装置の下面視を（ａ）、縦断面視を（ｂ）で表した説明図である。
【図１６】係止爪の係止位置を変えて光源ユニットを傾斜させた照明装置の縦断面図である。
【図１７】反射鏡部材が凸面状に形成された光源ユニットの斜視図である。
【図１８】図１７の光源ユニットを光出射側から見た平面図である。
【図１９】光軸方向の長さが異なる凹曲面反射部の縦断面図である。
【図２０】図１９の凹曲面反射部を備えた光源ユニットの縦断面図である。
【図２１】反射鏡部材が凹面状に形成された光源ユニットの斜視図である。
【図２２】図２１の光源ユニットを光出射側から見た平面図である。
【図２３】図２１に示した凹面状の光源ユニットの光線追跡図である。
【図２４】凸面状反射鏡部材と環状光源とを備えた光源ユニットの下面視を（ａ）、側面視を（ｂ）に表した説明図である。
【図２５】斜方向出射成分生成用反射部材を備えた照明装置の光線追跡図である。
【符号の説明】
【００９３】
１１  ＬＥＤ発光素子
１１ａ  第１ＬＥＤ発光素子
１１ｂ  第２ＬＥＤ発光素子
１５  反射帯
１５ａ  傾斜領域
１７  環状支持部材
１９  固定用リング
２１  係止爪
２５  係止部
３１  隔離壁
４１ａ  第1駆動回路
４１ｂ  第２駆動回路
６５  凹曲面反射部
６７  反射用フラップ
６９  光拡散面
７０  中央基板
７１ａ，７１ｂ  反射拡散カバー
７３  環状基板
７５  反射鏡部材
７７  鏡面
８５  斜方向出射成分生成用反射部材
１００，１００Ａ，１００Ｂ，１００Ｃ，１００Ｄ，１００Ｅ，１００Ｆ，１００Ｇ，１００Ｈ，１００Ｊ  照明装置
２００，２００Ａ，２００Ｂ，２００Ｃ  光源ユニット
【図１】
2008047541.tif 000003
【図２】
2008047541.tif 000004
【図３】
2008047541.tif 000005
【図４】
2008047541.tif 000006
【図５】
2008047541.tif 000007
【図６】
2008047541.tif 000008
【図７】
2008047541.tif 000009
【図８】
2008047541.tif 000010
【図９】
2008047541.tif 000011
【図１０】
2008047541.tif 000012
【図１１】
2008047541.tif 000013
【図１２】
2008047541.tif 000014
【図１３】
2008047541.tif 000015
【図１４】
2008047541.tif 000016
【図１５】
2008047541.tif 000017
【図１６】
2008047541.tif 000018
【図１７】
2008047541.tif 000019
【図１８】
2008047541.tif 000020
【図１９】
2008047541.tif 000021
【図２０】
2008047541.tif 000022
【図２１】
2008047541.tif 000023
【図２２】
2008047541.tif 000024
【図２３】
2008047541.tif 000025
【図２４】
2008047541.tif 000026
【図２５】
2008047541.tif 000027